(57)【要約】従来では、同期ヘッダに誤りがあるときにそのフレームそのものを不正とみなして廃棄すると、同期が外れていないフレームで、エラー訂正が可能な程度にエラー率が低い場合であっても、エラー訂正ができなくなってしまう問題があった。本発明によれば、局側終端装置および加入者側終端装置のそれぞれが、フレーム化された受信データにおける同期が外れているか否かを検出する同期検知部と、上記同期検知手段により同期が外れていないと検知された受信データのフレームについては、そのフレームの同期ヘッダにおける誤りの有無に関わらずエラー訂正を行うエラー訂正部と、を含む。
2010098266.tif 000002
【特許請求の範囲】
【請求項１】
フレーム化された受信データにおける同期が外れているか否かを検出する同期検知部と、
前記同期検知部により同期が外れていないと検知された受信データのフレームについては、該フレームの同期ヘッダにおける誤りの有無に関わらずエラー訂正を行うエラー訂正部と、
を備えたことを特徴とする局側終端装置。
【請求項２】
前記受信データは、データ部および訂正符号部が設けられ、
前記データ部および前記訂正符号部は、それぞれフレーム化され、
前記エラー訂正部は、前記受信データのフレームにおける同期ヘッダに誤りがある場合、受信済みフレームに続く１フレーム分のビット数の信号を１フレームとみなし、前記訂正符号部を用いた所定の誤り訂正を行うことを特徴とする請求項１記載の局側終端装置。
【請求項３】
前記同期検知部は、
受信データにおける同期ヘッダが所定数連続して同期外れである場合に同期外れとして検出し、
受信データにデリミタを検出した場合、該デリミタを送出した加入者側終端装置に対して同期確立を検出することを特徴とする請求項１または２記載の局側終端装置。
【請求項４】
フレーム化された受信データにおける同期が外れているか否かを検出する同期検知部と、
前記同期検知部により同期が外れていないと検知された受信データのフレームについては、該フレームの同期ヘッダにおける誤りの有無に関わらずエラー訂正を行うエラー訂正部と、
を備えたことを特徴とする加入者側終端装置。
【請求項５】
前記受信データは、データ部および訂正符号部が設けられ、
前記データ部および前記訂正符号部は、それぞれフレーム化され、
前記エラー訂正部は、前記受信データのフレームにおける同期ヘッダに誤りがある場合、受信済みフレームに続く１フレーム分のビット数の信号を１フレームとみなし、前記訂正符号部を用いた所定の誤り訂正を行うことを特徴とする請求項４記載の加入者側終端装置。
【請求項６】
前記同期検知部は、
受信データにおける同期ヘッダが所定数連続して同期外れである場合に同期外れとして検出し、
受信データにおける同期ヘッダが所定数連続して同期がとれている場合に同期確立を検出することを特徴とする請求項４または５記載の加入者側終端装置。
【請求項７】
請求項１から３の何れか１項に記載の局側終端装置に、請求項４から６の何れか１項に記載の加入者側終端装置の複数が、光分岐部により分岐された光伝送路を介して接続されて構成されたことを特徴とする光通信システム。
【請求項８】
フレーム化された受信データにおける同期が外れているか否かを検出する同期検知工程と、
前記同期検知工程により同期が外れていないと検知された受信データのフレームについては、該フレームの同期ヘッダにおける誤りの有無に関わらずエラー訂正を行うエラー訂正工程と、
を備えたことを特徴とするエラー訂正方法。
【請求項９】
前記受信データは、データ部および訂正符号部が設けられ、
前記データ部および前記訂正符号部は、それぞれフレーム化され、
前記エラー訂正工程では、前記受信データのフレームにおける同期ヘッダに誤りがある場合、受信済みフレームに続く１フレーム分のビット数の信号を１フレームとみなし、前記訂正符号部を用いた所定の誤り訂正を行うことを特徴とする請求項８記載のエラー訂正方法。
【請求項１０】
前記同期検知工程では、
受信データにおける同期ヘッダが所定数連続して同期外れである場合に同期外れとして検出し、
局側終端装置が受信データにデリミタを検出した場合、該デリミタを送出した加入者側終端装置に対して同期確立を検出することを特徴とする請求項８または９記載のエラー訂正方法。
【請求項１１】
前記同期検知工程では、
受信データにおける同期ヘッダが所定数連続して同期外れである場合に同期外れとして検出し、
受信データにおける同期ヘッダが所定数連続して同期がとれている場合に、加入者側終端装置が同期確立を検出することを特徴とする請求項８または９記載のエラー訂正方法。
【請求項１２】
局側終端装置のコンピュータに実行させるプログラムを記録した記録媒体であって、前記プログラムは、前記コンピュータに、
フレーム化された受信データにおける同期が外れているか否かを検出する同期検知処理と、
前記同期検知処理により同期が外れていないと検知された受信データのフレームについては、該フレームの同期ヘッダにおける誤りの有無に関わらずエラー訂正を行うエラー訂正処理と、
実行させる記録媒体。
【請求項１３】
前記受信データは、データ部および訂正符号部が設けられ、
前記データ部および前記訂正符号部は、それぞれフレーム化され、
前記エラー訂正処理では、前記受信データのフレームにおける同期ヘッダに誤りがある場合、受信済みフレームに続く１フレーム分のビット数の信号を１フレームとみなし、前記訂正符号部を用いた所定の誤り訂正を行うことを特徴とする請求項１２記載の記録媒体。
【請求項１４】
前記同期検知処理では、
受信データにおける同期ヘッダが所定数連続して同期外れである場合に同期外れとして検出し、
受信データにデリミタを検出した場合、該デリミタを送出した加入者側終端装置に対して同期確立を検出することを特徴とする請求項１２または１３記載の記録媒体。
【請求項１５】
加入者側終端装置のコンピュータに実行させるプログラムを記録した記録媒体であって、前記プログラムは、前記コンピュータに、
フレーム化された受信データにおける同期が外れているか否かを検出する同期検知処理と、
前記同期検知処理により同期が外れていないと検知された受信データのフレームについては、該フレームの同期ヘッダにおける誤りの有無に関わらずエラー訂正を行うエラー訂正処理と、
を実行させる記録媒体。
【請求項１６】
前記受信データは、データ部および訂正符号部が設けられ、
前記データ部および前記訂正符号部は、それぞれフレーム化され、
前記エラー訂正処理では、前記受信データのフレームにおける同期ヘッダに誤りがある場合、受信済みフレームに続く１フレーム分のビット数の信号を１フレームとみなし、前記訂正符号部を用いた所定の誤り訂正を行うことを特徴とする請求項１５記載の記録媒体。
【請求項１７】
前記同期検知処理では、
受信データにおける同期ヘッダが所定数連続して同期外れである場合に同期外れとして検出し、
受信データにおける同期ヘッダが所定数連続して同期がとれている場合に同期確立を検出することを特徴とする請求項１５または１６記載の記録媒体。
【発明の詳細な説明】
【技術分野】
【０００１】
本発明は、例えばＰＯＮ（Ｐａｓｓｉｖｅ  Ｏｐｔｉｃａｌ  Ｎｅｔｗｏｒｋ）システムなど、局側終端装置（ＯＬＴ；Ｏｐｔｉｃａｌ  Ｌｉｎｅ  Ｔｅｒｍｉｎａｌ）と、加入者側終端装置（ＯＮＵ；Ｏｐｔｉｃａｌ  Ｎｅｔｗｏｒｋ  Ｕｎｉｔ）とが接続されて構成され、通信におけるエラー訂正機能を備えた局側終端装置、加入者側終端装置、光通信システム、エラー訂正方法、および記録媒体に関する。
【背景技術】
【０００２】
１０ＧＥ−ＰＯＮ（１０Ｇｉｇａｂｉｔ  Ｅｔｈｅｒｎｅｔ（登録商標）Ｐａｓｓｉｖｅ  Ｏｐｔｉｃａｌ  Ｎｅｔｗｏｒｋ）システムは、ＩＥＥＥ  Ｓｔｄ  ８０２．３により規定される通信方式である。このため、１０ＧＥ−ＰＯＮシステムは、１０Ｇｉｇａｂｉｔ  Ｅｔｈｅｒｎｅｔをベースにエラー訂正機能を前提とした通信方式となっている。
このエラー訂正機能では、同期ヘッダ（Ｓｙｎｃ  Ｈｅａｄｅｒ）の正常性を常に監視し、同期ヘッダに誤りがあるとき、誤りのある該当フレームそのものを不正とみなして廃棄する。
また、本発明の関連技術として、特開２００８−６７２５２号公報（以下、「特許文献１」と呼ぶ。）が知られている。この特許文献１では、ＯＬＴが、ＯＮＵからの同期離脱用デリミタ（ｄｅｌｉｍｉｔｅｒ）を検出することでそのフレーム境界に基づいてフレーム同期を確立し、ＯＮＵが、ＯＬＴからのデリミタを検出することでそのフレーム境界に基づいてフレーム同期を確立する。そして、ＯＬＴとＯＮＵは、それぞれ同期の確立したＦＥＣ（Ｆｏｒｗａｒｄ  Ｅｒｒｏｒ  Ｃｏｒｒｅｃｔｉｏｎ）フレームを用いてデータを誤り訂正復号している。
しかしながら、上述のような一般的な１０ＧＥ−ＰＯＮシステムでは、光減衰等により、同期ヘッダの同期が外れるほどではないが受信エラーが発生している状態で、同期ヘッダが不正であるフレームがフレームエラーとして廃棄されることがある。
ここで、同期ヘッダに誤りがあるときにそのフレームそのものを不正とみなして廃棄すると、エラー訂正が可能な程度にエラー率が低い場合であってもエラー訂正ができなくなってしまう虞があった。
また、上述した特許文献１のものは、同期離脱用デリミタやデリミタを検出することでフレーム同期をより確実に確立しようとするものであり、同期が外れていないフレームに対してエラー訂正をより確実に行うことについてまで考慮されたものではなかった。
また、上述した特許文献１のものでは、同期の確立のために、同期離脱用デリミタといった独自の信号を定義する必要もあるものであった。
【発明の概要】
【０００３】
本発明はこのような状況に鑑みてなされたものであり、その目的は、特に独自の信号を定義する必要もなく、例えば同期ヘッダに誤りが発生するくらいのエラー率の通信状態であっても、同期が外れていないフレームについてはより確実なエラー訂正を行うことができる局側終端装置、加入者側終端装置、光通信システム、エラー訂正方法、および記録媒体を提供することにある。
かかる目的を達成するために、本発明に係る局側終端装置は、フレーム化された受信データにおける同期が外れているか否かを検出する同期検知部と、上記同期検知部により同期が外れていないと検知された受信データのフレームについては、該フレームの同期ヘッダにおける誤りの有無に関わらずエラー訂正を行うエラー訂正部と、を備えたことを特徴とする。
また、本発明に係る加入者側終端装置は、フレーム化された受信データにおける同期が外れているか否かを検出する同期検知部と、上記同期検知部により同期が外れていないと検知された受信データのフレームについては、該フレームの同期ヘッダにおける誤りの有無に関わらずエラー訂正を行うエラー訂正部と、を備えたことを特徴とする。
また、本発明に係る光通信システムは、上述した本発明に係る局側終端装置に、上述した本発明に係る加入者側終端装置の複数が、光分岐部により分岐された光伝送路を介して接続されて構成されたことを特徴とする。
また、本発明に係るエラー訂正方法は、フレーム化された受信データにおける同期が外れているか否かを検出する同期検知工程と、上記同期検知工程により同期が外れていないと検知された受信データのフレームについては、該フレームの同期ヘッダにおける誤りの有無に関わらずエラー訂正を行うエラー訂正工程と、を備えたことを特徴とする。
また、本発明に係る局側終端装置のコンピュータに実行させるプログラムを記録した記録媒体は、上記プログラムが、上記コンピュータに、フレーム化された受信データにおける同期が外れているか否かを検出する同期検知処理と、上記同期検知処理により同期が外れていないと検知された受信データのフレームについては、該フレームの同期ヘッダにおける誤りの有無に関わらずエラー訂正を行うエラー訂正処理と、を実行させることを特徴とする。
また、本発明に係る加入者側終端装置のコンピュータに実行させるプログラムを記録した記録媒体は、上記プログラムが、上記コンピュータに、フレーム化された受信データにおける同期が外れているか否かを検出する同期検知処理と、上記同期検知処理により同期が外れていないと検知された受信データのフレームについては、該フレームの同期ヘッダにおける誤りの有無に関わらずエラー訂正を行うエラー訂正処理と、を実行させることを特徴とする。
以上のように、本発明によれば、特に独自の信号を定義する必要もなく、例えば同期ヘッダに誤りが発生するくらいのエラー率の通信状態であっても、同期が外れていないフレームについてはより確実なエラー訂正を行うことができる。
【図面の簡単な説明】
【０００４】
図１は本発明の実施形態としての１０ＧＥ−ＰＯＮシステムの構成例を示すブロック図である。
図２は図１に示した１０ＧＥ−ＰＯＮシステムに使用されるＯＬＴのＯＬＴ受信エラー訂正部を示すブロック図である。
図３は図１に示した１０ＧＥ−ＰＯＮシステムに使用されるＯＮＵのＯＮＵ受信エラー訂正部を示すブロック図である。
図４はエラー訂正機能有効時の下りデータフレームフォーマットを示す図である。
図５は上りデータにおけるバースト区間のデータフレームフォーマット例を示す図である。
図６は図２に示したＯＬＴ受信エラー訂正部における動作を示すフローチャートである。
図７は図３に示したＯＮＵ受信エラー訂正部における動作を示すフローチャートである。
【発明を実施するための形態】
【０００５】
次に、図面を参照して、本発明に係る局側終端装置、加入者側終端装置、光通信システム、エラー訂正方法、および記録媒体を、１０ＧＥ−ＰＯＮ（１０Ｇｉｇａｂｉｔ  Ｅｔｈｅｒｎｅｔ（登録商標）Ｐａｓｓｉｖｅ  Ｏｐｔｉｃａｌ  Ｎｅｔｗｏｒｋ）システムに適用した一実施形態について詳細に説明する。
まず、本実施形態の概略について説明する。
本実施形態は、１０ＧＥ−ＰＯＮシステムを構成するＯＬＴ（Ｏｐｔｉｃａｌ  Ｌｉｎｅ  Ｔｅｒｍｉｎａｌ）またはＯＮＵ（Ｏｐｔｉｃａｌ  Ｎｅｔｗｏｒｋ  Ｕｎｉｔ）において、例えば同期ヘッダに誤りが出るくらいにエラー率が高い状態であっても、エラー訂正をより確実に行うことができることを特徴としている。
このため、本実施形態では、ＯＬＴが受信信号からデリミタの先頭を検知すると、同期状態としての動作に移行する。また、ＯＮＵが受信信号から同期ヘッダ（Ｓｙｎｃ  Ｈｅａｄｅｒ）の先頭を検知すると、同期状態としての動作に移行する。
そしてＯＬＴ、ＯＮＵは、それぞれ、この同期状態としての動作に入ると、同期が完全に外れるまでは同期ヘッダの正誤に関わらず、エラー訂正部でフレームをエラー訂正処理する。
このことにより、ＯＬＴ、ＯＮＵ何れにおいても、同期が外れていないフレームについてはより確実にエラー訂正を行うことができる。このため、訂正不可によるデータフレームの破棄数を減少させ、光通信における伝送効率を向上させることができる。
図１は、本実施形態としての１０ＧＥ−ＰＯＮシステムの構成例を示すブロック図である。
図１に示すように、本実施形態としての１０ＧＥ−ＰＯＮシステムは、ＯＬＴ１に、光ファイバ等による光伝送路（ＰＯＮ回線）２、光カプラ（光分岐部）３を介して、複数のＯＮＵ４（４ａ、４ｂ、・・・）が接続されて構成される。
ＯＬＴ１は、ＯＮＵ４と光通信を行うための加入者側ネットワーク用のＰＯＮインターフェース１６と、不図示の事業者側ネットワークに接続させるためのＳＮＩ（Ｓｅｒｖｉｃｅ  Ｎｏｄｅ  Ｉｎｔｅｒｆａｃｅ）１７とを備える。また、ＯＬＴ１は、ＯＬＴ受信エラー訂正部１１を備える。ＯＬＴ受信エラー訂正部１１は、受信データの誤り訂正を行う。
各ＯＮＵ４は、ＯＬＴ１と光通信を行うための事業者側ネットワーク用のＰＯＮインターフェース４６と、不図示の加入者側ネットワークに接続させるためのＵＮＩ（Ｕｓｅｒ  Ｎｅｔｗｏｒｋ  Ｉｎｔｅｒｆａｃｅ）４７とを備える。また、各ＯＮＵ４は、ＯＮＵ受信エラー訂正部４１を備える。ＯＮＵ受信エラー訂正部４１は、受信データの誤り訂正を行う。
ＳＮＩ１７から入力された主信号は、ＯＬＴ１を通りＰＯＮ回線２から光カプラ３により分岐しＯＮＵ４ａおよびＯＮＵ４ｂへ送信される。このときＯＬＴ１は、送信する信号にエラー訂正符号を付加する。このため、ＯＬＴ１からの信号を受信したＯＮＵ４は、エラー訂正符号付き主信号を処理することになる。
同様にＵＮＩ４７から入力された信号は、ＯＮＵ４を通りＰＯＮ回線２からＯＬＴ１へ送信される。ＯＮＵ４は、送信する信号にエラー訂正符号を付加する。このため、ＯＮＵ４からの信号を受信したＯＬＴ１は、エラー訂正符号付き主信号を処理することになる。
図２は、ＯＬＴ１のＯＬＴ受信エラー訂正部１１を示すブロック図である。ＯＬＴ受信エラー訂正部１１は、バースト開始／終了検出部（同期検知手段）１２と、エラー訂正部１３とを備えて構成される。
バースト開始／終了検出部１２は、ＯＮＵ４の送信データを元にバースト区間を検出するモジュールである。エラー訂正部１３は、リードソロモン（Ｒｅｅｄ−Ｓｏｌｏｍｏｎ；ＲＳ）符号などを使用したＦＥＣによるエラー訂正モジュールである。バースト区間とはそれぞれのＯＮＵ４が通信している時間区間を意味する。
図３は、各ＯＮＵ４のＯＮＵ受信エラー訂正部４１を示すブロック図である。ＯＮＵ受信エラー訂正部４１は、ＦＥＣ同期／同期外れ検出部（同期検知手段）４２と、エラー訂正部４３とを備えて構成される。
ＦＥＣ同期／同期外れ検出部４２は、１０ＧＥ−ＰＯＮシステムにおけるＦＥＣフレームの同期を検出するモジュールである。この検出は、例えばＩＥＥＥ  ８０２．３ａｖ  ＦＥＣ  Ｂｌｏｃｋ  Ｓｙｎｃｈｒｏｎｉｚｅｒなどにより実現することができる。
エラー訂正部４３は、リードソロモン符号などを使用したＦＥＣによるエラー訂正モジュールである。
ＯＬＴ１、ＯＮＵ４それぞれについて、送信側の構成は当業者にとってよく知られたものであり、本発明要部に特に関係しないため、説明を省略する。
図４は、エラー訂正機能有効時に、ＯＬＴ１からＯＮＵ４に向けて送信される下りデータのフレームフォーマットを示す図である。
図４に示す１０ＧＥ−ＰＯＮシステムのフレームフォーマット例は、データ部と訂正符号部から構成される。データ部および訂正符号部は、それぞれ複数の６６ビット単位のブロックが並べられて構成される。訂正符号部は、リードソロモンなどの符号化アルゴリズムによりデータ部から生成されたブロックから構成される。
フレームフォーマットにおける各６６ビットブロックは、先頭２ビットの同期ヘッダ（Ｓｙｎｃ  Ｈｅａｄｅｒ）と残り６４ビットデータから構成される。データ部と訂正符号部は同期ヘッダにより区別される。同期ヘッダが“０１”または“１０”の場合、データ部である。同期ヘッダが“００”または“１１”の場合、訂正符号部である。
図５は、ＯＮＵ４からＯＬＴ１に向けて送信される上りデータにおける、バースト区間のデータパターンの一例を示す図である。バースト区間は、非データ部に続いてバースト先頭に固定長のデリミタが配置される。デリミタ直後、図４で示される１０ＧＥ−ＰＯＮシステムのフレームフォーマットによる各６６ビットブロックが連続する。バースト終了時は非データ部となり、同期ヘッダによる同期が外れるようなデータをＯＬＴ１が受けることで、ＯＬＴ１はバースト終了を検知する。
次に、図６のフローチャートを参照して、ＯＬＴ１におけるデータ受信動作について説明する。図６は、ＯＬＴ１のＯＬＴ受信エラー訂正部１１における動作を示すフローチャートである。
ＯＬＴ１は、各ＯＮＵ４との通信によるデータ受信およびエラー訂正に先立って、ＯＮＵ４からのデータ受信のための同期確立が必要である。
まず、ＯＬＴ１は動作開始後、ＦＥＣ非同期中の動作状態となる（ステップＳ１）。ＯＬＴ受信エラー訂正部１１のバースト開始／終了検出部１２がデリミタを検出すると（ステップＳ２；Ｙｅｓ）、ＯＬＴ１は、そのデリミタを送出したＯＮＵ４に対して同期確立とし、ＦＥＣ同期確立の動作状態に移行する（ステップＳ３）。
ステップＳ３の同期確立された動作状態では、同期ヘッダに誤りがあるか否かに関わらず、エラー訂正部１３がＦＥＣによる誤り訂正を行う。すなわち、図５で上述したように、デリミタ後の受信データは同期外れとなるまでの間、６６ビットずつのフレームが連続して構成されている。このため、同期ヘッダに誤りがある場合であっても、前のフレーム（受信済みフレーム）に続く６６ビット分の信号は次のフレームであるとみなし、エラー訂正部１３はＦＥＣによる誤り訂正を行う。
このように、ＦＥＣ同期確立直後はデータフォーマットが確定しているため、その後のデータ受信の際に、ＯＬＴ受信エラー訂正部１１が同期ヘッダの正誤に関わらずバースト開始／終了検知部１２からエラー訂正部１３へフレームを転送することで、同期ヘッダのビット誤りとは無関係にエラー訂正を行うことができる。
ＦＥＣ同期確立中に、バースト開始／終了検出部１２が同期ヘッダにおける同期外れを所定数連続して検出すると（ステップＳ４；Ｙｅｓ）、同期状態の動作からステップＳ１のＦＥＣ非同期中の動作状態に戻る。
バースト開始／終了検出部１２による同期ヘッダでの同期外れ検出は、例えばＩＥＥＥ  ８０２．３ａｖのＦＥＣ  Ｂｌｏｃｋ  Ｓｙｎｃｈｒｏｎｉｚｅｒなどにより実現することができる。
次に、図７のフローチャートを参照して、ＯＮＵ４におけるデータ受信動作について説明する。図７は、ＯＮＵ４のＯＮＵ受信エラー訂正部４１における動作を示すフローチャートである。
ＯＮＵ４は、ＯＬＴ１からのデータ受信およびエラー訂正に先立って、データ受信のための同期確立が必要である。
まず、ＯＮＵ４は動作開始後、ＦＥＣ非同期中の動作状態となる（ステップＳ１１）。ＯＮＵ受信エラー訂正部４１のＦＥＣ同期／同期外れ検出部４２がＦＥＣフレームを示す同期ヘッダを所定数連続して同期がとれていると検出すると（ステップＳ１２；Ｙｅｓ）、ＯＮＵ４は同期確立として、ＦＥＣ同期中の動作状態に移行する（ステップＳ１３）。
ステップＳ１３の同期確立された動作状態では、同期ヘッダに誤りがあるか否かに関わらず、エラー訂正部４３がＦＥＣによる誤り訂正を行う。すなわち、図４で上述したように、同期確立中の受信データは６６ビットずつフレームが連続して構成されているため、同期ヘッダに誤りがある場合であっても、前のフレーム（受信済みフレーム）に続く６６ビット分の信号は次のフレームであるとみなし、エラー訂正部４３はＦＥＣによる誤り訂正を行う。
このように、ＦＥＣ同期中は、同期ヘッダの正誤に関わらず、ＯＮＵ受信エラー訂正部４１でＦＥＣ同期／同期外れ検出部４２からエラー訂正部４３へフレームを転送することで、同期ヘッダのビット誤りとは無関係にエラー訂正を行うことができる。
ＦＥＣ同期中の動作状態においては、ＦＥＣ同期／同期外れ検出部４２が同期ヘッダにおける同期外れを監視する。同期ヘッダにおける同期外れが所定数連続して検出された場合には（ステップＳ１４；Ｙｅｓ）、ステップＳ１１のＦＥＣ非同期中の動作状態に戻る。
この同期および同期外れ検出は、例えばＩＥＥＥ  ８０２．３ａｖのＦＥＣ  Ｂｌｏｃｋ  Ｓｙｎｃｈｒｏｎｉｚｅｒなどにより実現することができる。
次に、上述した実施形態により得られる効果について説明する。
一般的な１０ＧＥ−ＰＯＮシステムでは、同期ヘッダのエラーを元に不正フレームとみなしてデータフレームを廃棄するため、十分にエラー訂正が可能なエラー率においても、同期ヘッダが欠落するためにエラー訂正が機能しないという問題が起こりうる。
これに対し、上述した実施形態によれば、フレーム全体の同期が外れていない限り、たとえ同期ヘッダに誤りが発生している場合であってもＦＥＣによるエラー訂正処理を継続することとなり、同期ヘッダの欠落によりエラー訂正が機能しないということが起きなくなる。このため、上りデータおよび下りデータの両方について、十分にエラー訂正が可能なエラー率である限り、正常にエラー訂正を機能させることができる。
換言すると、例えば光伝送路２による伝送距離が長い、光伝送路２を分岐させる光カプラ３の数が多い、といったことにより、伝送される光レベルが低下すると、ＯＬＴ１、ＯＮＵ４それぞれについて、同期は確立された状態であるが同期ヘッダに誤りが発生することがあり得る。
ここで、本実施形態によれば、同期ヘッダにおける同期外れが検出されず、エラー訂正が十分可能なエラー率であるにも関わらず、同期ヘッダに誤りが発生するという状態においても、ＦＥＣによる誤り訂正を行うことができ、訂正不可としてデータフレームが破棄されることによるデータフレーム再送を減少させることができる。このため、ＯＬＴ、ＯＮＵそれぞれについて、ＦＥＣによる誤り訂正可能なデータフレームの不要な再送を効果的に防止することができ、光通信における伝送効率を向上させることができる。
また、上述した実施形態によれば、上述のようなエラー訂正を、一般的な１０ＧＥ−ＰＯＮシステムにおける既定のフレームフォーマットを全く変更せずに適用が可能となる。このため、本実施形態によれば、ＯＬＴ、ＯＮＵそれぞれにおける受信回路構成を比較的シンプルなものとすることができる。
本発明のより具体的な態様について説明する。
上記局側終端装置において、上記受信データは、データ部および訂正符号部が設けられてよく、上記データ部および上記訂正符号部は、それぞれフレーム化されてよい。この場合、上記エラー訂正部は、上記受信データのフレームにおける同期ヘッダに誤りがある場合、受信済みフレームに続く１フレーム分のビット数の信号を１フレームとみなし、上記訂正符号部を用いた所定の誤り訂正を行ってよい。また、上記同期検知部は、受信データにおける同期ヘッダが所定数連続して同期外れである場合に同期外れとして検出し、受信データにデリミタを検出した場合、該デリミタを送出した加入者側終端装置に対して同期確立を検出してよい。
上記加入者側終端装置において、上記受信データは、データ部および訂正符号部が設けられてよく、上記データ部および上記訂正符号部は、それぞれフレーム化されてよい。この場合、上記エラー訂正部は、上記受信データのフレームにおける同期ヘッダに誤りがある場合、受信済みフレームに続く１フレーム分のビット数の信号を１フレームとみなし、上記訂正符号部を用いた所定の誤り訂正を行ってよい。また、上記同期検知部は、受信データにおける同期ヘッダが所定数連続して同期外れである場合に同期外れとして検出し、受信データにおける同期ヘッダが所定数連続して同期がとれている場合に同期確立を検出してよい。
上記エラー訂正方法において、上記受信データは、データ部および訂正符号部が設けられてよく、上記データ部および上記訂正符号部は、それぞれフレーム化されてよい。この場合、上記エラー訂正工程では、上記受信データのフレームにおける同期ヘッダに誤りがある場合、受信済みフレームに続く１フレーム分のビット数の信号を１フレームとみなし、上記訂正符号部を用いた所定の誤り訂正を行ってよい。また、上記同期検知工程では、受信データにおける同期ヘッダが所定数連続して同期外れである場合に同期外れとして検出し、局側終端装置が受信データにデリミタを検出した場合、該デリミタを送出した加入者側終端装置に対して同期確立を検出してよい。或いは、上記同期検知工程では、受信データにおける同期ヘッダが所定数連続して同期外れである場合に同期外れとして検出し、受信データにおける同期ヘッダが所定数連続して同期がとれている場合に、加入者側終端装置が同期確立を検出してよい。
上記局側終端装置用の記録媒体において、上記受信データは、データ部および訂正符号部が設けられてよく、上記データ部および上記訂正符号部は、それぞれフレーム化されてよい。この場合、上記エラー訂正処理では、上記受信データのフレームにおける同期ヘッダに誤りがある場合、受信済みフレームに続く１フレーム分のビット数の信号を１フレームとみなし、上記訂正符号部を用いた所定の誤り訂正を行ってよい。また、上記同期検知処理では、受信データにおける同期ヘッダが所定数連続して同期外れである場合に同期外れとして検出し、受信データにデリミタを検出した場合、該デリミタを送出した加入者側終端装置に対して同期確立を検出してよい。
上記加入者側終端装置用の記録媒体において、上記受信データは、データ部および訂正符号部が設けられてよく、上記データ部および上記訂正符号部は、それぞれフレーム化されてよい。この場合、上記エラー訂正処理では、上記受信データのフレームにおける同期ヘッダに誤りがある場合、受信済みフレームに続く１フレーム分のビット数の信号を１フレームとみなし、上記訂正符号部を用いた所定の誤り訂正を行ってよい。また、上記同期検知処理では、受信データにおける同期ヘッダが所定数連続して同期外れである場合に同期外れとして検出し、受信データにおける同期ヘッダが所定数連続して同期がとれている場合に同期確立を検出してよい。
以上、実施形態を参照して本願発明を説明したが、本願発明は上記実施形態に限定されるものではない。本願発明の構成や詳細には、本願発明のスコープ内で当業者が理解し得る様々な変更をすることができる。
例えば、上述した各実施形態としてのＯＬＴ、ＯＮＵを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
この本発明に係るプログラムによれば、当該プログラムによって制御されるＯＬＴやＯＮＵに、上述した実施形態における各機能を実現させることができる。
この出願は、２００９年２月２７日に出願された日本出願特願２００９−０４６７００号を基礎とする優先権を主張し、その開示の全てをここに取り込む。
【図１】
2010098266.tif 000003
【図２】
2010098266.tif 000004
【図３】
2010098266.tif 000005
【図４】
2010098266.tif 000006
【図５】
2010098266.tif 000007
【図６】
2010098266.tif 000008
【図７】
2010098266.tif 000009
【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
フレーム化された受信データにおける同期が外れているか否かを検出する同期検知部と、
前記同期検知部により同期が外れていないと検知された受信データのフレームについては、該フレームの同期ヘッダにおける誤りの有無に関わらずエラー訂正を行うエラー訂正部と、
を備えたことを特徴とする局側終端装置。
【請求項２】
前記受信データは、データ部および訂正符号部が設けられ、
前記データ部および前記訂正符号部は、それぞれフレーム化され、
前記エラー訂正部は、前記受信データのフレームにおける同期ヘッダに誤りがある場合、受信済みフレームに続く１フレーム分のビット数の信号を１フレームとみなし、前記訂正符号部を用いた所定の誤り訂正を行うことを特徴とする請求項１記載の局側終端装置。
【請求項３】
前記同期検知部は、
受信データにおける同期ヘッダが所定数連続して同期外れである場合に同期外れとして検出し、
受信データにデリミタを検出した場合、該デリミタを送出した加入者側終端装置に対して同期確立を検出することを特徴とする請求項１または２記載の局側終端装置。
【請求項４】
フレーム化された受信データにおける同期が外れているか否かを検出する同期検知部と、
前記同期検知部により同期が外れていないと検知された受信データのフレームについては、該フレームの同期ヘッダにおける誤りの有無に関わらずエラー訂正を行うエラー訂正部と、
を備えたことを特徴とする加入者側終端装置。
【請求項５】
前記受信データは、データ部および訂正符号部が設けられ、
前記データ部および前記訂正符号部は、それぞれフレーム化され、
前記エラー訂正部は、前記受信データのフレームにおける同期ヘッダに誤りがある場合、受信済みフレームに続く１フレーム分のビット数の信号を１フレームとみなし、前記訂正符号部を用いた所定の誤り訂正を行うことを特徴とする請求項４記載の加入者側終端装置。
【請求項６】
前記同期検知部は、
受信データにおける同期ヘッダが所定数連続して同期外れである場合に同期外れとして検出し、
受信データにおける同期ヘッダが所定数連続して同期がとれている場合に同期確立を検出することを特徴とする請求項４または５記載の加入者側終端装置。
【請求項７】
請求項１から３の何れか１項に記載の局側終端装置に、請求項４から６の何れか１項に記載の加入者側終端装置の複数が、光分岐部により分岐された光伝送路を介して接続されて構成されたことを特徴とする光通信システム。
【請求項８】
フレーム化された受信データにおける同期が外れているか否かを検出する同期検知工程と、
前記同期検知工程により同期が外れていないと検知された受信データのフレームについては、該フレームの同期ヘッダにおける誤りの有無に関わらずエラー訂正を行うエラー訂正工程と、
を備えたことを特徴とするエラー訂正方法。
【請求項９】
局側終端装置のコンピュータに実行させるプログラムであって、前記プログラムは、前記コンピュータに、
フレーム化された受信データにおける同期が外れているか否かを検出する同期検知処理と、
前記同期検知処理により同期が外れていないと検知された受信データのフレームについては、該フレームの同期ヘッダにおける誤りの有無に関わらずエラー訂正を行うエラー訂正処理と、
実行させるプログラム。
【請求項１０】
加入者側終端装置のコンピュータに実行させるプログラムであって、前記プログラムは、前記コンピュータに、
フレーム化された受信データにおける同期が外れているか否かを検出する同期検知処理と、
前記同期検知処理により同期が外れていないと検知された受信データのフレームについては、該フレームの同期ヘッダにおける誤りの有無に関わらずエラー訂正を行うエラー訂正処理と、
を実行させるプログラム。
【国際調査報告】
2010098266.tif 000010
2010098266.tif 000011
2010098266.tif 000012
2010098266.tif 000013